(57)【要約】【課題】建屋側の部材の形状に制限されることなく、設置が可能であり、而も風が吹いてもばたつくことを防止する簾装置を提供する。【解決手段】建屋１の開口部に隣接する上下の支柱支持部２，１２間に一対の支柱１８が設けられ、該支柱は相対向する面にガイド溝１９が設けられ、前記支柱に簾４上端が取付けられると共に簾下部両端に設けられたガイド部材が前記ガイド溝１９に摺動自在に嵌合された。【選択図】　　　　図１
2004084292.tif 000002
【特許請求の範囲】
【請求項１】
建屋の開口部に隣接する上下の支柱支持部間に一対の支柱が設けられ、該支柱は相対向する面にガイド溝が設けられ、前記支柱に簾上端が取付けられると共に簾下部両端に設けられたガイド部材が前記ガイド溝に摺動自在に嵌合されたことを特徴とする簾装置。
【請求項２】
前記ガイド部材は前記簾に対して水平方向に出入り自在である請求項１の簾装置。
【請求項３】
前記簾上端部に上端バーを有し、該上端バーは簾本体幅方向に突出し、該上端バーの端部が前記支柱に固定された請求項１の簾装置。
【請求項４】
前記支柱間に簾吊下げバーが掛渡され設けられ、簾上端が前記簾吊下げバーに取付けられた請求項１の簾装置。
【請求項５】
前記ガイド部材が、簾下端の下端バーに嵌合固定されるピンガイドと該ピンガイドに対し水平方向に摺動自在に設けられ、前記ガイド溝に回転自在に係合するローラを具備する請求項１の簾装置。
【請求項６】
前記ガイド部材が、簾下端の下端バーに回転自在且つ摺動自在に嵌合される軸部と前記ガイド溝に回転自在に係合するローラ部とからなる一体物である請求項１の簾装置。
【発明の詳細な説明】
【０００１】
【発明の属する技術分野】
本発明は遮光、又目隠しとして使用される簾装置に関するものである。
【０００２】
【従来の技術】
従来より、夏の季節には涼を得る為、窓、扉が開放され、風通しを良くしているが、遮光、目隠しが必要な場合、窓、出入口等の開口部には通風性を損わず遮光、目隠しできる簾が設けられる場合が多い。
【０００３】
簾を設ける場合、市販の簾には上端部に吊下げ金具が設けられており、該吊下げ金具を介して吊下げる様になっている。
【０００４】
図１０はマンション等多層階の建築物１のベランダ２に通じる窓３に、簾４が設けられた場合を示している。尚、図中、１０は室内を示す。
【０００５】
前記窓３の開口縁には窓用サッシが設けられており、下枠５、上枠６間にガラス引戸７が設けられている。前記上枠６の外縁に簾掛け８が取付けられる。該簾掛け８は図１１に示される様に、Ｕ字状に形成された固定部８ａと下方に延出するフック部８ｂを具備し、前記固定部８ａに前記上枠６の外縁が挿入され、更に押し螺子９を前記上枠６の外縁に押付けることで、前記固定部８ａを介して前記簾掛け８が前記上枠６に固定され、前記簾４は上端がリング状の吊下げ金具１１を前記フック部８ｂに引っ掛けることで、前記簾掛け８に取付けられていた。
【０００６】
或は、庇１２（前記ベランダ２の下面に相当）には竿掛け１３が垂設されており、該竿掛け１３に掛渡された竿１４に前記簾４が吊下げられていた。
【０００７】
【発明が解決しようとする課題】
上記簾掛け８を使用して前記上枠６に前記簾４を取付ける方法は、前記上枠６の形状によっては前記簾掛け８が取付けられない場合がある。特に、網戸１５が設けられる場合では前記簾掛け８が取付ける余裕がない場合が多い。又、マンションでは外壁等、外部に露出する部分に傷を付ける様な物の取付けは禁止されている場合が多く、外壁に直接、簾取付け用の金具等を取付けることはできない。この為、前記簾４を取付けられない場合がある。又、前記竿１４に前記簾４を吊下げる場合も、洗濯物等を干す場合には、その都度該簾４を取外す必要があり、又洗濯物を干している状態では該簾４が使用できない等の不具合があった。
【０００８】
更に、該簾４の下端は特に固定されていないので、風が吹くとばたつく等の不具合もあった。
【０００９】
本発明は斯かる実情に鑑み、サッシ等の形状に制限されることなく、設置が可能であり、而も風が吹いてもばたつくことを防止する簾装置を提供するものである。
【００１０】
【課題を解決するための手段】
本発明は、建屋の開口部に隣接する上下の支柱支持部間に一対の支柱が設けられ、該支柱は相対向する面にガイド溝が設けられ、前記支柱に簾上端が取付けられると共に簾下部両端に設けられたガイド部材が前記ガイド溝に摺動自在に嵌合された簾装置に係り、又前記ガイド部材は前記簾に対して水平方向に出入り自在である簾装置に係り、又前記簾上端部に上端バーを有し、該上端バーは簾本体幅方向に突出し、該上端バーの端部が前記支柱に固定された簾装置に係り、又前記支柱間に簾吊下げバーが掛渡され設けられ、簾上端が前記簾吊下げバーに取付けられた簾装置に係り、又前記ガイド部材が、簾下端の下端バーに嵌合固定されるピンガイドと該ピンガイドに対し水平方向に摺動自在に設けられ、前記ガイド溝に回転自在に係合するローラを具備する簾装置に係り、更に又前記ガイド部材が、簾下端の下端バーに回転自在且つ摺動自在に嵌合される軸部と前記ガイド溝に回転自在に係合するローラ部とからなる一体物である簾装置に係るものである。
【００１１】
【発明の実施の形態】
以下、図面を参照しつつ本発明の実施の形態を説明する。
【００１２】
図１に於いて、概略を説明する。尚、図１中、図１０中で示したものと同等のものには同符号を付してある。又、図中、１７は簾装置を示している。
【００１３】
ベランダ２と庇１２間に一対の支柱１８，１８を簾４の本体の幅より適宜広くして設ける。前記支柱１８，１８の相対向する面にはガイド溝１９が形成され、上端、下端の少なくとも一端（図示では両端）に調整ボルト２１が設けられ、該調整ボルト２１により前記支柱１８は前記ベランダ２と庇１２間に突張った状態で固定される。
【００１４】
前記簾４の上端には簾本体４ａの幅より長い上端バー２２を有し、該上端バー２２が前記支柱１８，１８の上端部に掛渡って設けられている。又前記簾４は下端に前記簾本体４ａの幅と略同じ長さの下端バー２３を有し、該下端バー２３の先端部が前記ガイド溝１９に摺動自在に嵌合している。
【００１５】
而して、前記簾装置１７は、簾掛け８等（図１１参照）を必要とせず設置可能であり、又前記簾装置１７の下端は前記支柱１８のガイド溝１９に嵌合し、前記簾本体４ａに対して垂直方向の動きが規制されているので、風が吹いてもばたつくことはない。又、前記簾４を巻込む、該簾４の中途部を畳込む等して該簾４を途中迄降ろした中途状態としても、該簾４の下端の下端バー２３は前記ガイド溝１９に沿って上昇し、又該ガイド溝１９で前記簾本体４ａに対して垂直方向の動きを規制されているので、中途状態でも風によりばたつくことがない。
【００１６】
図２〜図６により更に具体的に説明する。
【００１７】
前記支柱１８は引抜き、或は押出し成型品であり、両端面を除く少なくとも２面（図示では３面）に溝１９，２５，２６が形成され、少なくとも溝２５と溝２６とは同形状となっている。前記支柱１８の両端部には、それぞれコの字状に折曲げ成形され、前記溝２５，２６と干渉しない様に切欠部２７が形成された端板２８が嵌合され、該端板２８には螺子座２９が溶接されている。前記調整ボルト２１は前記螺子座２９に螺合している。又、前記端板２８には後述する溝付ローラ３８が通過可能な切欠３０が穿設されている。尚、前記調整ボルト２１にロックナット（図示せず）が螺合している。
【００１８】
前記上端バー２２は簾４の簾本体４ａの幅より長く、両端部が前記支柱１８に固定金具３１を介して固定される。又、該固定金具３１は凹部と該凹部より両外方に延出するフランジ部を有し、該フランジ部にそれぞれＵ字孔３２が穿設されている。前記溝２５には固定ボルト３３の頭が摺動自在に嵌合し、該固定ボルト３３を前記Ｕ字孔３２に挿通させ、前記固定ボルト３３にナット３４を介して前記固定金具３１が固定される様になっている。
【００１９】
前記上端バー２２は引抜き或は押出し成型品であり、前記上端バー２２の下面には全長に亘りスリット２２ａが形成され、該スリット２２ａに前記簾本体４ａの上端が挾持されている。
【００２０】
前記下端バー２３は前記上端バー２２と同一形状の引抜き或は押出し成型品であり、上面にスリット２３ａが形成され、該スリット２３ａに前記簾本体４ａの下端が挾持されている。前記下端バー２３は前記簾本体４ａのウェイトバーとして機能する。
【００２１】
又、前記下端バー２３の端部にはピンガイド３６が嵌合固定され、該ピンガイド３６にローラピン３７が摺動自在に嵌合し、該ローラピン３７の先端に合成樹脂、或は硬質ゴムの溝付ローラ３８が回転自在に設けられ、該溝付ローラ３８の溝に前記ガイド溝１９の溝縁が嵌合し、前記溝付ローラ３８は前記ガイド溝１９に沿って転動する様になっている。
【００２２】
前記上端バー２２の端部近くには係着板３９が固着され、該係着板３９の反対側にロープ巻取具４１が取付けられている。該ロープ巻取具４１は前記上端バー２２に対して首振り自在であり、ローラ（図示せず）とロープロック具（図示せず）を具備している。簾巻取ロープ４２の始端が前記係着板３９に係着され、前記簾巻取ロープ４２は前記簾本体４ａの下端を回り、更に前記ロープ巻取具４１に掛回され、垂下され、終端には握り４３が取付けられている。
【００２３】
以下、前記簾装置１７の設置、更に作用について説明する。
【００２４】
前記支柱１８の溝２５に前記固定ボルト３３を嵌合させ、適宜な位置に前記ナット３４で固定しておく。前記支柱１８の両端に前記端板２８を嵌合し、前記調整ボルト２１を螺入しておく。前記簾装置１７の設置位置を決め、先ず１本の支柱１８を配置し、前記調整ボルト２１を調整して前記支柱１８を前記ベランダ２と庇１２間に突張らせ固定する。もう１本の支柱１８を前記簾４の幅に合わせて配置し、同様に突張らせて固定する。
【００２５】
前記支柱１８の下端から前記溝付ローラ３８を前記切欠３０を通して前記ガイド溝１９に嵌合させ、前記簾４を引上げて前記上端バー２２を前記固定金具３１で固定する。該固定金具３１の支柱１８への固定は、前記固定金具３１を位置決めした後、前記ナット３４を緩め固定ボルト３３をスライドさせ、前記Ｕ字孔３２に填め、前記ナット３４を締付ける。而して、前記簾４の上端は前記上端バー２２により前記支柱１８に固定され、前記簾４の下端は前記溝付ローラ３８を介して前記支柱１８に昇降自在に取付けられる。
【００２６】
前記簾４を巻取る場合は、前記握り４３を持って引下げる。前記簾巻取ロープ４２を引下げることで前記簾本体４ａの下端が巻かれながら引上げられる。又、前記ロープ巻取具４１はロープロック具を具備しているので、前記握り４３を放置すると、前記簾巻取ロープ４２にロックが掛り、前記簾本体４ａは任意の巻状態で前記簾巻取ロープ４２に保持される。又、前記簾本体４ａのどの様な状態でも、前記下端バー２３は前記溝付ローラ３８を介して前記支柱１８に保持されているので、下端がばたつくことはない。又、前記ローラピン３７は前記ピンガイド３６に摺動自在に嵌合しているので、前記支柱１８，１８の平行が出ていない場合でも、前記ローラピン３７が前記ピンガイド３６に出入りすることで、平行度の誤差を吸収し、前記簾４は滑らかに昇降する。
【００２７】
尚、市販されている簾４の多くは、前記上端バー２２が簾本体４ａと同寸法である。この場合は、簾吊下げバー（図示せず）を両支柱１８間に掛渡し、前記固定金具３１で前記簾吊下げバーを前記支柱１８に固定し、該簾吊下げバーに前記簾４を吊下げる様にすればよい。尚、前記ピンガイド３６は予め何タイプか作っておき、市販の簾４の下端バー２３に合わせて適宜選択して取付ける様にすればよい。
【００２８】
尚、本発明に係る簾装置が設置される場所としては、マンションのベランダに限らず、一戸建住宅の庇と地面間に設けることができる。この場合も、簡単に設置できると共に不要となった場合に簡単に取外しができる。その他、設置場所としては開口部に近接して上下にベランダ、庇、地面に代る支柱の突っ張り力が受けられる支柱支持部があればよい。
【００２９】
上記実施の形態では、前記調整ボルト２１を回し、前記支柱１８の突張り状態は作業者の勘に頼っていたが、図７、図８に示すアジャスタ４５を用い、前記支柱１８の突張り力をバネ力によって定める様にすれば、作業者、或は作業環境の差によるバラツキが少なくなる。
【００３０】
前記支柱１８の下端部にスライドブロック４６を摺動自在に嵌設する。
【００３１】
該スライドブロック４６は前記溝２５、溝２６に摺動自在に外嵌する凹部を有する平断面が略Ｈ形状をしており、前記スライドブロック４６が前記溝２５，２６に外嵌することで回止めされる。又、前記スライドブロック４６の下端側に６角穴４８が形成され、該６角穴４８にナット４７が圧入される。
【００３２】
前記スライドブロック４６の上端部には円筒部５０が突出形成され、該円筒部５０には後述する圧縮スプリング４９の下端部が遊嵌する。
【００３３】
前記溝２５又は前記溝２６の底部にスリット孔（図示せず）を穿設することで前記スライドブロック４６の上端、又は下端の位置を確認することができる。
【００３４】
前記支柱１８の下端から所要距離の位置に、前記溝２５の底部と前記溝２６の底部に掛渡るバネ受けピン５１を設け、前記支柱１８の下端近傍の前記溝２５又は溝２６の底部に抜け止用リベット（図示せず）を固着する。
【００３５】
前記圧縮スプリング４９を前記支柱１８内に嵌装し、予め前記ナット４７を圧入してある前記スライドブロック４６を前記支柱１８に嵌入し、前記円筒部５０を前記圧縮スプリング４９の下端に嵌合する。次に、前記抜け止用リベット（図示せず）をカシメる。該抜け止用リベット（図示せず）により、前記スライドブロック４６は脱落が防止され、又前記圧縮スプリング４９は所要量撓んだ状態となっている。
【００３６】
前記支柱１８の下端より調整ボルト２１を前記ナット４７に螺入する。前記調整ボルト２１は前記スライドブロック４６を貫通し上方に突出する充分な長さを有し、下端には接面座５２が所要角度の範囲で自在に傾動可能且つ回転自在に設けられ、前記調整ボルト２１の下端部にはナット部５３が固着されている。
【００３７】
上記アジャスタ４５の調整手順について説明する。
【００３８】
前記接面座５２が床面に接地した状態で、スパナ等により前記ナット部５３を介して前記調整ボルト２１を回転する。該調整ボルト２１の回転で前記スライドブロック４６が上方に移動し、前記圧縮スプリング４９が圧縮される。該圧縮スプリング４９の反発力により、前記支柱１８の突張り力が増大する。突っ張り力は前記圧縮スプリング４９の撓み量により決定され、又撓み量は前記溝２５又は溝２６の底部に穿設されたスリット孔で確認できる。即ち、適正突張り力を前記スライドブロック４６の位置で確認すれば、所定の突張り力を発生させることができ、個人差等によるバラツキがなくなり、容易に最適な状態で前記支柱１８を設置できる。
【００３９】
尚、前記ナット４７とスライドブロック４６は一体的な構造であればよく、前記スライドブロック４６に直接螺子孔を穿設してもよい。
【００４０】
前記下端バー２３はデザイン上種々の形状のものが用いられるが、前記ガイド溝１９に嵌合するローラの形状は前記下端バー２３の形状に合わせて種々変更される。
【００４１】
図９は下端バーと支柱１８間の係合構造の変更例を示すものである。
【００４２】
図９に示される下端バー５５の断面形状は、外径が略楕円であり、上下にスリット５６ａ，５６ｂが形成され、中間位置には左右に掛渡る連結部５７が形成されている。簾本体４ａの下端４ｂはＴ字状となっており、該下端４ｂを前記スリット５６ａに挿通し、該スリット５６ａにビード５８を圧入することで、前記簾本体４ａの下端に下端バー５５が取付けられる。前記連結部５７で仕切られ形成される半楕円状の空間５９にガイド部材６１を回転自在に設ける。該ガイド部材６１は前記ピンガイド３６、ローラピン３７、溝付ローラ３８に該当するものであり、前記空間５９に回転自在に嵌合する軸部６１ａと、前記ガイド溝１９に回転自在に嵌合するローラ部６１ｂとを有し、前記軸部６１ａは前記支柱１８，１８の平行が出ていない場合に、前記軸部６１ａが前記空間５９に出入りし、平行度の誤差を吸収できる充分な長さを有している。
【００４３】
尚、本変更例で、騒音を低減する場合は、前記ローラ部６１ｂの表面にゴム等をコーティング等してもよい。
【００４４】
又、簾本体を形成する部材は、例えば、簾状のもの、シート状のもの、或はネット状のもの等の遮光性或は半透光性を有する部材にて形成されていることが好ましい。
【００４５】
【発明の効果】
以上述べた如く本発明によれば、建屋の開口部に隣接する上下の支柱支持部間に一対の支柱が設けられ、該支柱は相対向する面にガイド溝が設けられ、前記支柱に簾上端が取付けられると共に簾下部両端に設けられたガイド部材が前記ガイド溝に摺動自在に嵌合されたので、建屋側の部材の形状、例えばサッシ等の形状に制限されることなく、設置が可能であり、而も簾の下端が支柱に支持されているので、風が吹いてもばたつくことが防止される等の優れた効果を発揮する。
【図面の簡単な説明】
【図１】本発明の実施の形態を示す側面図である。
【図２】本発明の実施の形態を示す要部正面図である。
【図３】本発明の実施の形態を示す要部側面図である。
【図４】本発明の実施の形態を示す要部平断面図である。
【図５】図２のＡ矢視図である。
【図６】本実施の形態の支柱端部に設けられる調整ボルトの斜視図である。
【図７】本実施の形態の支柱下端部に設けられるアジャスタの断面図である。
【図８】図７のＢ−Ｂ矢視図である。
【図９】下端バーと支柱間の係合構造の変更例を示す斜視図である。
【図１０】従来例の側面図である。
【図１１】従来例の要部拡大図である。
【符号の説明】
２　　　　　ベランダ
４　　　　　簾
１７　　　　簾装置
１８　　　　支柱
１９　　　　ガイド溝
２１　　　　調整ボルト
２２　　　　上端バー
２３　　　　下端バー
３６　　　　ピンガイド
３７　　　　ローラピン
３８　　　　溝付ローラ
５５　　　　下端バー
６１　　　　ガイド部材
【図１】
2004084292.tif 000003
【図２】
2004084292.tif 000004
【図３】
2004084292.tif 000005
【図４】
2004084292.tif 000006
【図５】
2004084292.tif 000007
【図６】
2004084292.tif 000008
【図７】
2004084292.tif 000009
【図８】
2004084292.tif 000010
【図９】
2004084292.tif 000011
【図１０】
2004084292.tif 000012
【図１１】
2004084292.tif 000013